【手続補正書】
【提出日】平成18年5月2日(2006.5.2)
【手続補正１】
【補正対象書類名】明細書
【補正対象項目名】請求項１
【補正方法】変更
【補正の内容】
【請求項１】  ケースと、このケースの内側に互いに同心に、かつ互いに独立して回転自在に支持された一対の入力ディスク及び一対の出力ディスクと、前記入力ディスク及び出力ディスクの中心軸の方向に対して直角方向となる捩れの位置に存在する、互いに同心もしくは平行な偶数本の枢軸を有するトラニオンと、このトラニオンの枢軸を揺動自在に支持するヨークと、前記トラニオンに変位軸を中心として回転自在に支持された状態で、前記入力ディスク及び出力ディスクの内側面同士の間に転動自在に転接され摩擦によって動力を伝達する複数個のパワーローラと、前記一対の出力ディスクの間に設けられ、出力ディスクの回転運動を取り出す出力歯車と、この出力歯車を支持するギアハウジングとを備えたダブルキャビティ式トロイダル型無段変速機において、
前記ヨークを支持する支持ポスト、この支持ポスト及びギアハウジングを前記ケースに固定する複数の部材の少なくとも２つ以上の部材を剛性を有する部材で結合もしくは一体に構成したことを特徴とするダブルキャビティ式トロイダル型無段変速機。
【手続補正２】
【補正対象書類名】明細書
【補正対象項目名】請求項２
【補正方法】変更
【補正の内容】
【請求項２】  ケースと、このケースの内側に互いに同心に、かつ互いに独立して回転自在に支持された一対の入力ディスク及び一対の出力ディスクと、前記入力ディスク及び出力ディスクの中心軸の方向に対して直角方向となる捩れの位置に存在する、互いに同心もしくは平行な偶数本の枢軸を有するトラニオンと、このトラニオンの枢軸を揺動自在に支持するヨークと、前記トラニオンに変位軸を中心として回転自在に支持された状態で、前記入力ディスク及び出力ディスクの内側面同士の間に転動自在に転接され摩擦によって動力を伝達する複数個のパワーローラと、前記一対の出力ディスクの間に設けられ、出力ディスクの回転運動を取り出す出力歯車と、この出力歯車を支持するギアハウジングとを備えたダブルキャビティ式トロイダル型無段変速機において、
前記ヨークを支持する第１の支持ポスト、この第１の支持ポスト及びギアハウジングを前記ケースに固定する第１の部材及び前記ヨークとは別のヨークを支持する第２の支持ポストを固定する第２の部材の少なくとも２つ以上の部材を剛性を有する部材で結合もしくは一体に構成したことを特徴とするダブルキャビティ式トロイダル型無段変速機。
【手続補正３】
【補正対象書類名】明細書
【補正対象項目名】請求項５
【補正方法】変更
【補正の内容】
【請求項５】  ケースと、このケースの内側に互いに同心に、かつ互いに独立して回転自在に支持された一対の入力ディスク及び一対の出力ディスクと、前記入力ディスク及び出力ディスクの中心軸の方向に対して直角方向となる捩れの位置に存在する、互いに同心もしくは平行な偶数本の枢軸を有するトラニオンと、このトラニオンの枢軸を揺動自在に支持するヨークと、前記トラニオンに変位軸を中心として回転自在に支持された状態で、前記入力ディスク及び出力ディスクの内側面同士の間に転動自在に転接され摩擦によって動力を伝達する複数個のパワーローラと、前記一対の出力ディスクの間に設けられ、出力ディスクの回転運動を取り出す出力歯車と、この出力歯車を支持するギアハウジングとを備えたダブルキャビティ式トロイダル型無段変速機の組み付け方法において、
剛性を有する固定部材に、前記出力歯車を含むギアハウジング及び前記ヨークを支持する支持ポストを固定した後、前記ギアハウジング及び前記ヨークを支持した支持ポストを前記固定部材とともに、ケースに組み込むことを特徴とするダブルキャビティ式トロイダル型無段変速機の組み付け方法。
【手続補正４】
【補正対象書類名】明細書
【補正対象項目名】請求項６
【補正方法】変更
【補正の内容】
【請求項６】  ケースと、このケースの内側に互いに同心に、かつ互いに独立して回転自在に支持された一対の入力ディスク及び一対の出力ディスクと、前記入力ディスク及び出力ディスクの中心軸の方向に対して直角方向となる捩れの位置に存在する、互いに同心もしくは平行な偶数本の枢軸を有するトラニオンと、このトラニオンの枢軸を揺動自在に支持するヨークと、前記トラニオンに変位軸を中心として回転自在に支持された状態で、前記入力ディスク及び出力ディスクの内側面同士の間に転動自在に転接され摩擦によって動力を伝達する複数個のパワーローラと、前記一対の出力ディスクの間に設けられ、出力ディスクの回転運動を取り出す出力歯車と、この出力歯車を支持するギアハウジングとを備えたダブルキャビティ式トロイダル型無段変速機の組み付け方法において、
剛性を有する固定部材に、前記出力歯車を含むギアハウジング及び前記ヨークを支持する支持ポストを固定した後、前記ギアハウジング及び前記ヨークを支持した支持ポストを前記固定部材とともに、ケースに組み込む第１の工程と、
前記出力歯車に入力軸を組み付けた後、入力軸の両端側から第１と第２の出力ディスク、パワーローラを装着したトラニオン及び第１と第２の入力ディスク等のトロイダル変速機構部を組み付ける第２の工程と、
前記トロイダル変速機構部を前記ケースに組み込み、前記固定部材の外面とトロイダル変速機構部のディスク回転中心の距離を測定してディスク回転中心と駆動軸の回転中心を一致させ、前記ケースに固定する第３の工程と
からなることを特徴とするダブルキャビティ式トロイダル型無段変速機の組み付け方法。
【手続補正５】
【補正対象書類名】明細書
【補正対象項目名】００１３
【補正方法】変更
【補正の内容】
【００１３】
なお、第１と第２キャビティ２１，２２毎に一対ずつ設けた変位軸３１は第１と第２キャビティ２１，２２毎に、入力軸２に対して１８０度反対側に位置して設けられている。また、変位軸３１の各支持軸部３４が各支持軸部３３に対して偏心している方向は、第１と第２の入力ディスク４，５及び第１と第２の出力ディスク７，８の回転方向に関して同方向としている。また、偏心方向は入力軸２の配設方向に対して略直交する方向としている。従って、パワーローラ３６は入力軸２及び駆動軸３の配設方向に亘る若干の変位自在に支持される。この結果、ダブルキャビティ式トロイダル型無段変速機により伝達するトルクの変動に基づく、構成部材の弾性変形量の変動等に起因して、パワーローラ３６が入力軸２の軸方向に変位する傾向となった場合でも構成部材に無理な力を加えることなく、変位を吸収できる。
【手続補正６】
【補正対象書類名】明細書
【補正対象項目名】００１５
【補正方法】変更
【補正の内容】
【００１５】
また、入力軸２と第１の入力ディスク４との間にはローディングカム式の押圧機構４５が設けられている。この押圧機構４５は駆動軸３に係合すると共に、入力軸２に対して玉軸受を介して回転自在に支持されるカム板４６と、保持器４７に転動自在に保持された複数のローラ４８とを含んで構成している。そして、入力軸２の回転に基づいて第１の入力ディスク４を第２の入力ディスク５に向け押圧しつつ回転させる。
【手続補正７】
【補正対象書類名】明細書
【補正対象項目名】００３０
【補正方法】変更
【補正の内容】
【００３０】
【課題を解決するための手段】
この発明は、前記目的を達成するために、請求項１は、ケースと、このケースの内側に互いに同心に、かつ互いに独立して回転自在に支持された一対の入力ディスク及び一対の出力ディスクと、前記入力ディスク及び出力ディスクの中心軸の方向に対して直角方向となる捩れの位置に存在する、互いに同心もしくは平行な偶数本の枢軸を有するトラニオンと、このトラニオンの枢軸を揺動自在に支持するヨークと、前記トラニオンに変位軸を中心として回転自在に支持された状態で、前記入力ディスク及び出力ディスクの内側面同士の間に転動自在に転接され摩擦によって動力を伝達する複数個のパワーローラと、前記一対の出力ディスクの間に設けられ、出力ディスクの回転運動を取り出す出力歯車と、この出力歯車を支持するギアハウジングとを備えたダブルキャビティ式トロイダル型無段変速機において、前記ヨークを支持する支持ポスト、この支持ポスト及びギアハウジングを前記ケースに固定する複数の部材の少なくとも２つ以上の部材を剛性を有する部材で結合もしくは一体に構成したことを特徴とする。
【手続補正８】
【補正対象書類名】明細書
【補正対象項目名】００３１
【補正方法】変更
【補正の内容】
【００３１】
請求項２は、ケースと、このケースの内側に互いに同心に、かつ互いに独立して回転自在に支持された一対の入力ディスク及び一対の出力ディスクと、前記入力ディスク及び出力ディスクの中心軸の方向に対して直角方向となる捩れの位置に存在する、互いに同心もしくは平行な偶数本の枢軸を有するトラニオンと、このトラニオンの枢軸を揺動自在に支持するヨークと、前記トラニオンに変位軸を中心として回転自在に支持された状態で、前記入力ディスク及び出力ディスクの内側面同士の間に転動自在に転接され摩擦によって動力を伝達する複数個のパワーローラと、前記一対の出力ディスクの間に設けられ、出力ディスクの回転運動を取り出す出力歯車と、この出力歯車を支持するギアハウジングとを備えたダブルキャビティ式トロイダル型無段変速機において、前記ヨークを支持する第１の支持ポスト、この第１の支持ポスト及びギアハウジングを前記ケースに固定する第１の部材、前記ヨークとは別のヨークを支持する第２の支持ポストを固定する第２の部材の少なくとも２つ以上の部材を剛性を有する部材で結合もしくは一体に構成したことを特徴とする。
【手続補正９】
【補正対象書類名】明細書
【補正対象項目名】００３４
【補正方法】変更
【補正の内容】
【００３４】
請求項５は、ケースと、このケースの内側に互いに同心に、かつ互いに独立して回転自在に支持された一対の入力ディスク及び一対の出力ディスクと、前記入力ディスク及び出力ディスクの中心軸の方向に対して直角方向となる捩れの位置に存在する、互いに同心もしくは平行な偶数本の枢軸を有するトラニオンと、このトラニオンの枢軸を揺動自在に支持するヨークと、前記トラニオンに変位軸を中心として回転自在に支持された状態で、前記入力ディスク及び出力ディスクの内側面同士の間に転動自在に転接され摩擦によって動力を伝達する複数個のパワーローラと、前記一対の出力ディスクの間に設けられ、出力ディスクの回転運動を取り出す出力歯車と、この出力歯車を支持するギアハウジングとを備えたダブルキャビティ式トロイダル型無段変速機の組み付け方法において、剛性を有する固定部材に、前記出力歯車を含むギアハウジング及び前記ヨークを支持する支持ポストを固定した後、前記ギアハウジング及び前記ヨークを支持した支持ポストを前記固定部材とともに、ケースに組み込むことを特徴とする。
【手続補正１０】
【補正対象書類名】明細書
【補正対象項目名】００３５
【補正方法】変更
【補正の内容】
【００３５】
請求項６は、ケースと、このケースの内側に互いに同心に、かつ互いに独立して回転自在に支持された一対の入力ディスク及び一対の出力ディスクと、前記入力ディスク及び出力ディスクの中心軸の方向に対して直角方向となる捩れの位置に存在する、互いに同心もしくは平行な偶数本の枢軸を有するトラニオンと、このトラニオンの枢軸を揺動自在に支持するヨークと、前記トラニオンに変位軸を中心として回転自在に支持された状態で、前記入力ディスク及び出力ディスクの内側面同士の間に転動自在に転接され摩擦によって動力を伝達する複数個のパワーローラと、前記一対の出力ディスクの間に設けられ、出力ディスクの回転運動を取り出す出力歯車と、この出力歯車を支持するギアハウジングとを備えたダブルキャビティ式トロイダル型無段変速機の組み付け方法において、剛性を有する固定部材に、前記出力歯車を含むギアハウジング及び前記ヨークを支持する支持ポストを固定した後、前記ギアハウジング及び前記ヨークを支持した支持ポストを前記固定部材とともに、ケースに組み込む第１の工程と、前記出力歯車に入力軸を組み付けた後、入力軸の両端側から第１と第２の出力ディスク、パワーローラを装着したトラニオン及び第１と第２の入力ディスク等のトロイダル変速機構部を組み付ける第２の工程と、前記トロイダル変速機構部を前記ケースに組み込み、前記固定部材の外面とトロイダル変速機構部のディスク回転中心の距離を測定してディスク回転中心と駆動軸の回転中心を一致させ、前記ケースに固定する第３の工程とからなることを特徴とする。
【手続補正１１】
【補正対象書類名】図面
【補正対象項目名】図５
【補正方法】変更
【補正の内容】
【図５】
2002303358.tif 000001